(57)【要約】【課題】１つの作業ユニット内で使用する形状の異なる複数種類のパネル部品２・・を、容積の少ない形で１つの包装体として包装できるようにした包装材１を開示する。【解決手段】外装ケース内に上下方向に配置される垂直支持材１０と、外装ケース内にその底部に沿って配置される水平保持材２０とからなり、垂直支持材１０にはパネル部品２の上縁３係止用の凹部１２が上下方向に複数段に形成され、水平保持材２０にはその長手方向にパネル部品２の下縁４の保持部２１が複数段に形成されている。好ましくは、パネル部品上縁収容用の凹部１２の上面部分に、パネル部品押さえ部材４０を係脱自在に備える。【選択図】図２
2010235173.tif 000002
【特許請求の範囲】
【請求項１】
パネル部品を立て掛けて包装する包装材であって、
立てた姿勢のパネル部品の上縁が収容されるパネル部品上縁収容用の凹部を有し、該凹部に上縁が収容されたパネル部品を支持する垂直支持材と、
前記垂直支持材によって支持されたパネル部品の下縁を保持するパネル部品下縁保持部を有する水平保持材とを備え、
前記垂直支持材の少なくとも一方向に対して前記凹部が上下方向に間隔をあけて複数形成されていることを特徴とするパネル部品用包装材。
【請求項２】
前記垂直支持材におけるパネル部品上縁収容用の凹部には、収容されたパネル部品の上縁を押さえるパネル部品押さえ部材が係脱自在に取り付けられていることを特徴とする請求項１に記載のパネル部品用包装材。
【請求項３】
前記垂直支持材は対向する２つの方向に対して前記パネル部品上縁収容用の凹部が形成され、前記水平保持材は、対向する２つの方向に対して形成された前記凹部に上縁が収容されたパネル部品の下縁を保持するようにそれぞれの方向に配置されていることを特徴とする請求項１または２に記載のパネル部品用包装材。
【請求項４】
前記垂直支持材は係脱自在な複数個の垂直支持部材によって構成されていることを特徴とする請求項１ないし３のいずれか一項に記載のパネル部品用包装材。
【請求項５】
前記垂直支持材は、複数個の垂直支持部材を積み上げて係止され、上位の垂直支持部材が下位の垂直支持部材に積み上げられた位置にパネル部品上縁収容用の凹部となる空所を形成するように、上位の垂直支持部材の下端ないし下位の垂直支持部材の上端には、切り欠き部ないし突部が形成されていることを特徴とする請求項４に記載のパネル部品用包装材。
【請求項６】
垂直支持部材の上端部には、パネル部品上縁収容用の段差部が形成され、収容された部品の上縁を押さえるパネル部品押さえ部材が係脱自在に取り付けられていることを特徴とする請求項１ないし５のいずれか一項に記載のパネル部品用包装材。
【請求項７】
前記水平保持材に形成されたパネル部品下縁保持部には荷重受けシートが貼り付けられていることを特徴とする請求項１ないし６のいずれか一項に記載のパネル部品用包装材。
【請求項８】
外装ケースと、外装ケース内に配置された請求項１ないし７のいずれか一項に記載のパネル部品用包装材とで構成され、前記外装ケース内において、前記パネル部品用包装材の前記垂直支持材に形成されたパネル部品上縁収容用の凹部に上縁を収容させ、前記水平保持材に形成されたパネル部品下縁保持部に下縁を保持させた傾斜姿勢で、２種以上のパネル部品を包装するパネル部品包装体。
【請求項９】
前記パネル部品包装体において、複数のパネル部品包装材が用いられていることを特徴とする請求項８に記載のパネル部品包装体。
【発明の詳細な説明】
【技術分野】
【０００１】
本発明は、大きさの異なる２種以上のパネル部品を同時に包装できるようにしたパネル部品用包装材と、該パネル部品用包装材を用いたパネル部品包装体に関する。
【背景技術】
【０００２】
自動車には形状の異なる多数のパネル部品が使用されており、それら部品は、部品の製造工場から自動車の組み立て工場へ、包装材によって包装された包装体として搬送されまた保管される。パネル部品の例としては、フロントパネル、フローアパネル、バックパネル、あるいはルーフパネルなどを挙げることができるが、当然ながら、それぞれのパネル部品は形状が異なっている。通常、同一形状のパネル部品の複数枚が集められて一つの包装体とされるので、自動車の組み立て工場へは、当該工場での自動車の組み立てに必要とされるパネル部品の種類数に応じた数のパネル部品包装体が搬入され、保管される。
【０００３】
概して平板状であるパネル部品の複数枚を包装するために、発泡樹脂成形体からなる包装材を使用することは知られており、特許文献１には、そのような包装材を用いて、同一品種である複数枚のパネル部品を、従来縦置き包装であったものをほぼ水平に支持した状態で段積みし包装体とすることが記載されている。
【先行技術文献】
【特許文献】
【０００４】
【特許文献１】特開平１−２２６５６７号公報
【発明の開示】
【発明が解決しようとする課題】
【０００５】
自動車の組み立て工場では、１つの作業ユニット内で、主フレームに対して複数種類のパネル部品を取り付けるのが普通である。また、１つの作業ユニット内で、異なる車種の自動車を組み立てる際に、使用するパネル部品がすべて異なる場合があり、異なる車種に対して共通のパネル部品が用いられることもある。
【０００６】
そのような組み立て環境において、現在のパネル部品の包装態様は、前記のように同一種類ごとの包装となっているので、組み立て工場では、使用が予定される複数の種類のパネル部品を、種類ごとに包装された包装体の形で保管するようにしており、保管スペースの増大を招いている。また、多種類のパネル部品を、それぞれに在庫管理することも必要であり、部品管理も困難になっている。
【０００７】
本発明は、上記のような事情に鑑みてなされたものであり、１つの作業ユニット内で使用する形状の異なる複数種類のパネル部品を、容積の少ない形で１つの包装体として包装できるようにした包装材と、該包装材を用いた包装体を開示することを課題とする。本発明による包装材を用いることにより、組み立て工場での部品保管スペースを節減することができ、また部品の在庫管理も容易となる。
【課題を解決するための手段】
【０００８】
本発明によるパネル部品用包装材は、パネル部品を立て掛けて包装する包装材であって、立てた姿勢のパネル部品の上縁が収容されるパネル部品上縁収容用の凹部を有し、該凹部に上縁が収容されたパネル部品を支持する垂直支持材と、前記垂直支持材によって支持されたパネル部品の下縁を保持するパネル部品下縁保持部を有する水平保持材とを備え、前記垂直支持材の少なくとも一方向に対して前記凹部が上下方向に間隔をあけて複数形成されていることを特徴とする。
【０００９】
また、本発明によるパネル部品包装体は、外装ケースと、外装ケース内に配置された請求項１ないし６のいずれか一項に記載のパネル部品用包装材とで構成され、前記外装ケース内において、前記パネル部品用包装材の前記垂直支持材に形成されたパネル部品上縁収容用の凹部に上縁を収容させ、前記水平保持材に形成されたパネル部品下縁保持部に下縁を保持させた傾斜姿勢で、２種以上のパネル部品を包装するパネル部品包装体である。
【００１０】
本発明によれば、上下方向の高さの異なる２種以上のパネル部品を、その上縁を前記垂直支持材側に収容させ、下縁側を前記水平保持材側に保持させて、斜めに傾斜した姿勢で立て掛けて包装するものである。そして、異なる２種以上のパネル部品においては、上下方向の寸法の大小に従い、上下方向寸法のより小さいものが内側位置（垂直支持材に近い位置）となるようにして、一つの包装体として包装することができる。その際に、前記垂直支持材に形成するパネル部品上縁収容用の凹部および水平保持材に形成するパネル部品下縁保持部の形状、位置、大きさ等を適宜設定することにより、２種以上のパネル部品をそれぞれ同じ枚数で包装することもでき、異なった枚数で包装することもできる。
【００１１】
組み立て工場での自動車組み立てスケジュールに従い、１つの作業ユニットで必要とされるパネル部品の種類および枚数は決定されるので、それに応じて、前記垂直支持材のパネル部品上縁収容用の凹部および水平保持材のパネル部品下縁保持部を設計し、それを用いて複数種のパネル部品を必要とされる枚数ずつ包装して包装体とし、それを組み立て工場に送る。組み立て工場の各作業ユニットでは、その１個の包装体を開梱することで、組み立てに必要なすべてのパネル部品を入手することができるので、作業ユニットでの作業効率は向上する。また、必要とする複数種類のパネル部品が必要枚数だけ送られてくるので、部品の保管スペースを節減できると共に、部品の在庫管理も容易となる。
【００１２】
さらに、本発明によるパネル部品包装体では、パネル部品は斜めに傾斜した姿勢で収容されており、すべてのパネル部品を縦置きする場合と比較して包装体の高さを低くすることができる。また、すべてのパネル部品を平置きする場合と比較して包装体の平面積を小さくすることができる。そのために、一つの包装体の占めるスペースも省スペース化することができ、その点からも、保管スペースの節減が可能となる。
【００１３】
本発明におけるパネル部品用包装材の好ましい態様において、前記垂直支持材におけるパネル部品上縁収容用の凹部には、収容されたパネル部品の上縁を押さえるパネル部品押さえ部材が係脱自在に取り付けられる。この態様のパネル部品用包装材では、パネル部品の上縁を前記パネル部品上縁収容用の凹部内に入れ込むときに、前記パネル部品押さえ部材を取り外しておくことで、入れ込み作業は容易となる。また、入れ込んだ後で、パネル部品押さえ部材を垂直支持材の凹部の所定位置に係止することで、取り付けたパネル部品の上縁を押さえ込むことができ、搬送中の振動でパネル部品に位置ずれが生じるのも回避することができる。本発明におけるパネル部品用包装材の好ましい態様において、前記垂直支持部材の上端部には、パネル部品上縁収容用の段差部が形成され、収容された部品の上縁を押さえるパネル部品押さえ部材が係脱自在に取り付けられる。
【００１４】
本発明におけるパネル部品用包装材において、前記垂直支持材は前記したパネル部品押さえ部材を除き、一体成形品であってもよく、係脱自在な複数個の垂直支持部材によって構成されていてもよい。包装しようとするパネル部品の大きさや形状あるいは枚数などに応じていずれかを選択すればよい。
【００１５】
前記垂直支持材が複数個の垂直支持部材によって構成される場合には、垂直支持材は複数個の垂直支持部材を積み上げて係止されている。この上位の垂直支持部材が下位の垂直支持部材に積み上げられた位置にパネル部品上縁収容用の凹部となる空所を形成するように、上位の垂直支持部材の下端ないし下位の垂直支持部材の上端には、切り欠き部ないし突部が形成されていることが好ましい。これにより、パネル部品押さえ部材を兼ねたパネル部品上縁収容用の凹部を形成することができるため、作業性が良くなる。いずれの場合も、前記パネル部品上縁収容用の凹部は一方向に対してのみ形成されていてもよく、対向する２つの方向に対して前記パネル部品上縁収容用の凹部が形成されていてもよい。もちろん、前記水平保持材は、対向する２つの方向に対して形成された前記凹部に上縁が収容されたパネル部品の下縁を保持するようにそれぞれの方向に配置されている。
【００１６】
また、パネル部品包装体は、複数のパネル部品用包装材によって構成されていてもよい。すなわち、複数の垂直支持材および複数の水平保持材を用いる。これにより、寸法の大きな部品を包装する場合であっても、パネル部品の寸法に合わせて垂直支持材および水平保持材を大きくする必要はない。この場合には、パネル部品の両側端に、また必要があれば両側端間に間隔をあけて１または複数のパネル部品用包装材を配置すればよい。
【００１７】
好ましくは、垂直支持材間に垂直支持材を支持する支持基材が設置されている。これにより各垂直支持材の姿勢の安定化とともに配置位置のずれ防止を図ることができる。
【００１８】
本発明によるパネル部品用包装材は、所要の緩衝性と機械的強度を備えることを条件に任意の材料で作ることができる。好ましくは、成形性および軽量性の観点から発泡樹脂成形品であり、より好ましくは熱可塑性樹脂の型内発泡成形品である。熱可塑性樹脂には、ポリスチレン系樹脂、ポリオレフィン系樹脂（例えば、ポリプロピレン系樹脂、ポリエチレン系樹脂等）、ポリエステル系樹脂（例えば、ポリエチレンテレフタレート、ポリブチレンテレフタレート、ポリエチレンナフタレート等）、ポリカーボネート系樹脂、ポリ乳酸系樹脂などが挙げられる。なかでも、ポリスチレンとポリエチレンとを含む複合樹脂を用いることが好ましい。発泡体の倍率は、包装しようとするパネル部品の重量や形状等を勘案して適宜設定すればよいが、緩衝性がよく、軽量で経済的である点から、好ましくは２０〜５０倍程度、より好ましくは３０倍（０．０２５ｇ／Ｌ）程度である。
【００１９】
望ましくは、前記水平保持材に形成されたパネル部品下縁保持部には、荷重受けシートが貼り付けられている。荷重受けシートとしては、合成樹脂発泡シート、繊維シート、不織布、ゴム等、荷重を受けても破壊し難いものであればよい。これにより、包装する部品の下縁が水平保持材の保持部に埋め込まれたり、保持部が破損するのを防ぐことができる。もちろん、荷重受けシートは、保持部の全面に貼ってもよいし、パネル部品が当接する面にのみ貼ってもよい。
【００２０】
本発明において、外装ケースは、金属製あるいは木製などで作られた底部と側壁とを備えた任意の外装ケースであってよいが、好ましくは、矩形状の底部の四隅に支柱が起伏自在に取り付けてあり、起立した姿勢の支柱に対して側壁が脱着自在とされているような形態の金属製外装ケースであり、さらに好ましくは、底部の裏面にフォークリフトのフォーク挿入口が備えられた外装ケースである。
【発明の効果】
【００２１】
本発明によれば、組み立て工場での１つの作業ユニット内で使用する、形状の異なる複数種類のパネル部品を、容積の少ない形で１つの包装体として包装できるようにした包装材と、該包装材を用いた包装体が得られる。本発明による包装材を用いることにより、組み立て工場での部品保管スペースを節減することができ、また部品の在庫管理も容易となる。
【図面の簡単な説明】
【００２２】
【図１】本発明によるパネル部品用包装材の一例を説明するための斜視図。
【図２】図１に示すパネル部品用包装材を用いてパネル部品包装体としたときの一例を示す側面図。ただし、外装ケースは図示されない。
【図３】本発明によるパネル部品用包装材の他の例を用いて作られたパネル部品包装体の一例を示す側面図。
【発明を実施するための形態】
【００２３】
以下、図面を参照して、本発明によるパネル部品用包装材およびそれを用いたパネル部品包装体の実施の形態を説明する。
【００２４】
本実施例のパネル部品用包装材は、５種類の大きさの異なるパネル部品２Ａ，２Ｂ，２Ｃ，２Ｄおよび２Ｅを包装する形態のものである。
【００２５】
図１および図２に示す例において、パネル部品用包装材１は、垂直支持材１０と、垂直支持材１０の底部において両側方に取り付けられる２つの水平保持材２０，２１とで構成される。パネル部品用包装材１は、包装するパネル部品の大きさやそれを収容する外装ケースとの関係で、１個のみで使用される場合もあるが、図示の例では、２つのパネル部品用包装材１、１を並置して用いている。そして、２つのパネル部品用包装材１、１は、各垂直支持材１０の底面部に形成した切り欠き部１１内に水平方向に配置した支持棒３０に嵌め合わせることにより、姿勢の安定化を図っている。もちろん、他の方法で安定した姿勢が得られる場合には、このような支持棒３０を用いなくてもよい。
【００２６】
垂直支持材１０の一方の側面には、包装しようとするパネル部品２Ａ，２Ｂの上縁３Ａ，３Ｂ（図２参照）をそれぞれ収容するパネル部品上縁収容用の凹部１２ａ，１２ｂが、上下方向に２段に形成されており、他方の側面にも包装しようとするパネル部品２Ｄの上縁３Ｄ（図２参照）を収容するパネル部品上縁収容用の凹部１２ｄが形成されている。また、垂直支持材１０の頂部には係止溝１４が形成されている。該係止溝１４には、図２に示すように、垂直支持材１０の頂部を覆う形状の押さえ部材１５が係脱自在に取り付けられる。押さえ部材１５は、その一方の面は平坦面を有し、他方の面は、係止溝１４に嵌め込まれる凸部１５ａが形成される。また、押さえ部材１５が垂直支持材１０の頂部に取り付けられたとき、両者の間には収容凹部１２ｃ，１２ｅが形成されるように、押さえ部材１５の他方の面には押さえ凹部１５ｂ，１５ｃが形成されている。この収容凹部１２ｃ，１２ｅも、図２に示すように、包装しようとするパネル部品２Ｃ，２Ｅの上縁３Ｃ，３Ｅのための凹部として利用されるとともに、後述する押さえ部材の役割も果たす。押さえ凹部１５ｂ，１５ｃの形状は、包装しようとする各パネル部品２Ｃ，２Ｅの上縁３Ｃ，３Ｅの形状、数量に合わせてそれぞれ設定される。
【００２７】
水平保持材２０，２１の上面側には、それぞれ、その長手方向に、包装しようとするパネル部品２Ａ〜２Ｅの下縁４Ａ〜４Ｅ（図２参照）を保持するためのパネル部品下縁保持部２２（２２ａ，２２ｂ，２２ｃ，２２ｄ，２２ｅ）が、それぞれ形成されている。図示の例で、垂直支持材１０は一方の側面に上下方向に３段の凹部１２ａ，１２ｂ，１２ｃを有しており、したがって、一方の水平保持材２０には、水平方向に３つの保持部２２ａ，２２ｂ，２２ｃがそれぞれ形成されている。また、垂直支持材１０は他方の側面に上下方向に２段の凹部１２ｄ，１２ｃを有しており、したがって、他方の水平保持材２１には、水平方向に２つの保持部２２ｄ，２２ｅがそれぞれ形成されている。
【００２８】
また、垂直支持材１０に形成された凹部１２ａ，１２ｂ，１２ｄには、後述する収容されたパネル部品の上縁を押さえるためのパネル部品押さえ材を係止するための係止用溝１３ａ，１３ｂ，１３ｃが形成されている。
【００２９】
さらに、水平保持材２０，２１のそれぞれに形成された保持部２２ａ〜２２ｅにおける部品２Ａ〜２Ｅの下縁端部が当接する面には、荷重受けシート２３が貼り付けられている。荷重受けシート２３は、合成樹脂発泡シート、不織布、繊維シート、ゴム等、荷重を受けても破壊しがたいものであればよい。これにより、部品２Ａ〜２Ｅの下縁端部が水平保持材２０，２１の保持部２２ａ〜２２ｅで埋め込まれたり、水平保持材が破壊されるのを防止できる。
【００３０】
なお、凹部１２ａ〜１２ｅおよび保持部２２ａ〜２２ｅの数を幾つにするかは設計事項であり、また、凹部１２ａ〜１２ｅおよび保持部２２ａ〜２２ｅの大きさ、形状等は、実際に包装されるパネル部品２Ａ〜２Ｅの上端または下端の形状や収容される枚数に応じて適宜設定される。
【００３１】
省略可能であるが、このパネル部品用包装材１では、図２に示すように、垂直支持材１０におけるパネル部品上縁収容用の凹部１２ａ，１２ｂ，１２ｄの上面部分に、垂直支持材１０とほぼ同じ厚さのパネル部品押さえ部材４０ａ，４０ｂ，４０ｃが、垂直支持材１０に対して係脱自在に取り付けられている。押さえ部材４０ａ，４０ｂ，４０ｃには、それぞれ、上述した凹部１２ａ，１２ｂ，１２ｄに形成した係止用溝１３ａ，１３ｂ，１３ｃに嵌め込まれる（挿通される）突状部４１ａ，４１ｂ，４１ｃが形成されている。そして、各凹部１２ａ，１２ｂ，１２ｃの形状と、各パネル部品押さえ部材４０ａ，４０ｂ，４０ｃの形状は、包装しようとする各パネル部品２Ａ，２Ｂ，２Ｄの上縁３Ａ，３Ｂ，３Ｄの形状に合わせて、それぞれ設定される。
【００３２】
上記のパネル部品用包装材１を用いて、大きさおよび形状の異なる複数枚のパネル部品２Ａ〜２Ｅを包装する手順を説明する。
【００３３】
最初に、図示しない外装ケース内で、図１に示すように、２つの垂直支持材１０、１０を所定の間隔を置いて並置する。そのときに、必要な場合には、前記した支持棒３０を用いる。次に、各垂直支持材１０、１０の側方に、水平保持材２０，２１を取り付ける。その際に、図示しない外装ケースにより、水平保持材２０，２１が側方に自由移動しないように位置決めするか、あるいは、図示のように、垂直支持材１０の下端部に水平保持材２０の一部を係着することにより位置決めする。
【００３４】
パネル部品用包装材１を組み付けた後で、図２に示すように、多種類のパネル部品２Ａ〜２Ｅの下縁４Ａ〜４Ｅをそれぞれ保持部２２ａ〜２２ｅに保持させて、その上縁３Ａ〜４Ｅを凹部１２ａ〜１２ｅに収容して、または、上縁３Ａ〜４Ｅを凹部１２ａ〜１２ｅに収容して、下縁４Ａ〜４Ｅをそれぞれ保持部２２ａ〜２２ｅに保持させて、多種類のパネル部品２Ａ〜２Ｅを垂直支持材１０に立て掛ける。具体的には、最も小型のパネル部品２Ａの１枚あるいは１枚以上（図では２枚が示される）を、その上縁３Ａを凹部１２ａに収容し、下縁４Ａを保持部２２ａに保持させた傾斜した姿勢で垂直支持材１０に立て掛ける。そして、パネル部品２Ａの上縁３Ａが運搬時の振動等によって凹部１２ａから外れないように、凹部１２ａの上面部分に前記したパネル部品押さえ部材４０ａを取り付ける。
【００３５】
このとき、パネル部品押さえ部材４０ａを垂直支持材１０の正面（前面）または後面（背面、図２において紙面に垂直な方向）から押さえ部材４０ａの実状部４１ａを凹部１２ａの係止用溝１３ａに挿通させれば、押さえ部材４０ａを容易に取り付けることができる。押さえ部材４０ｂ，４０ｃも以下同様に取り付けられる。
【００３６】
次に、２番目に大きいパネル部品２Ｂの１枚あるいは１枚以上（図では１枚が示される）を、その上縁３Ｂを凹部１２ｂに収容させ、下縁４Ｂを保持部２２ｂに保持させて傾斜した姿勢で垂直支持材１０に立て掛ける。そして、同様にして凹部１２ｂの上面部分にパネル部品押さえ部材４０ｂを取り付ける。また、凹部１２ｄと保持部２２ｄを利用して、垂直支持材１０の右側にも、パネル部品２Ｄを立て掛ける。
【００３７】
次に、最も大きいパネル部品２Ｃ、２Ｅを垂直支持材１０の両側に配置する。そのときに、各パネル部品２Ｃ、２Ｅの上縁３Ｃ，３Ｅは、垂直支持材１０の頂部に乗った姿勢とし、下縁４Ｃは、水平保持材２０に形成した保持部２２ｃに、下縁４Ｅは、水平保持材２１に形成した保持部２２ｃに保持させる。その状態で、最も大きいパネル部品２Ｃ、２Ｅの姿勢が安定する場合には、ここで、パネル部品２Ｃ、２Ｅの収容作業を終えてもよい。しかし、輸送中の安定を考慮して、図２に示すように、配置したパネル部品２Ｃ、２Ｅの上縁３Ｃ，３Ｅを覆うようにして、前記した押さえ部材１５を垂直支持材１０の頂部に係止することが好ましい。さらに好ましくは、押さえ部材１５の平坦面にバンドを沿わし、バンドの両端を外装ケースに締結する。
【００３８】
図２示した状態のパネル部品収容体を適宜の外装ケース（不図示）で囲い込むことにより、本発明によるパネル部品包装体とされる。
【００３９】
上記のように、本発明によるパネル部品用包装材１を用いたパネル部品包装体では、上下方向の高さの異なる２種以上のパネル部品２Ａ〜２Ｅを、斜めに傾斜した姿勢で、上下方向の寸法の大小に従い、上下方向の寸法のより小さいものが内側位置となるようにして、一つの包装体として包装することができる。その際に、垂直支持材１０に形成するパネル部品上縁収容用の凹部１２ａ〜１２ｅおよび水平保持材に形成するパネル部品下縁保持部２２ａ〜２２ｅの形状を適宜設定することにより、２種以上のパネル部品２Ａ〜２Ｅをそれぞれ同じ枚数でも、異なった枚数でも包装することもできる。また、パネル部品押さえ部材４０ａ〜４０ｃを用いることにより、包装後のパネル部品２Ａ，２Ｂ，２Ｄの姿勢を安定させることができる。
【００４０】
図３は、パネル部品包装体の他の例を示している。ここでは、５種類のパネル部品２Ｆ，２Ｇ，２Ｈ，２Ｉ，２Ｊを一方側で包装する形態を示す。垂直支持部材１００は、一方側にパネル部品上縁収容用の凹部１１２ａ，１１２ｂ，１１２ｃと、後述する収容段差１０４が形成されている。垂直支持材１００の他方側は外装ケース５０に支持されている。これにより、片側からパネル部品２Ｆ〜２Ｊを立て掛けた場合であっても垂直支持材１００が倒れることはない。したがって、パネル部品２Ｆ〜２Ｊの下縁を保持する保持部１２２ａ，１２２ｂ，１２２ｃ，１２２ｄ，１２２ｅが形成された水平保持材１２０も垂直支持材１００の一方側にのみ配置されている。もちろん、水平保持材１２０の保持部１２２ａ〜１２２ｅには荷重受けシート１２３が貼り付けられている。また、この例では、垂直支持材１００は、係脱できる２つ垂直支持部材１００ａ，１００ｂが上下に積み上げて構成されている。下方（下位）の垂直支持部材１００ａには２つの凹部１１２ａ，１１２ｂが形成され、各凹部の上面には前記したパネル部品押さえ部材１４０ａ，１４０ｂが係脱自在に取り付けられている。
【００４１】
前記した実施例と同様に、凹部１１２ａ，１１２ｂには、押さえ部材１４０ａ，１４０ｂを係止する係止用溝が形成され、押さえ部材１４０ａ，１４０ｂには、係止用溝に嵌め込まれる突状部が形成されている。この実施例では、垂直支持材１００は、２つの垂直支持部材１００ａおよび１００ｂの積み上げる構成されている。この積み重ね部（下位の垂直支持部材１００ａの上端部分と上位の垂直支持部材１００ｂの下端部分）に空所１０１が形成されている。具体的には、垂直支持部材１００ａの上端部分には切り欠き１０１ａが形成され、垂直支持部材１００ｂの下端部分には切り欠き部１０１ｂおよび突部１０２が形成されて空所１０１がつくられる。この空所１０１がパネル部品上縁収容用の凹部１１２ｃとなり、垂直支持部材１００ｂの突部１０２がパネル部品押さえ部材の役割を果たす。
【００４２】
したがって、包装手順として、垂直支持部材１００ａと水平保持材１２０を配置してパネル部品２Ｆ，２Ｇを立て掛けた後、パネル部品２Ｈの上縁を垂直支持部材１００ａの上端に形成された切り欠き部１０１ａに載置して立て掛ける。もちろん、パネル部品２Ｈの下縁は水平保持材１２０の保持部１２２ｃに保持させる。
【００４３】
所望枚数のパネル部品２Ｈを立て掛けた後、垂直支持部材１００ａの上に垂直支持部材１００ｂを積み上げる。これにより、パネル部品２Ｈの上縁は垂直支持部材１００ｂの突部１０２に押さえ付けられる。
【００４４】
また、上位の垂直支持部材１００ｂの頂面には、パネル部品上縁収容用の収容段差１０４が形成され、その中間部にパネル部品押さえ部材１４０ｄを係止する係止用溝が形成されている。したがって、パネル部品押さえ部材１４０ｄが係脱自在に取り付けられる。これにより、収容段差１０４の下面とパネル部品押さえ部材１４０ｄとにより、凹部１１２ｄが形成されるとともに、凹部１１２ｄに収容されたパネル部品２Ｉの上縁が押さえ付けられる。また、パネル部品押さえ部材１４０ｄの上面はパネル部品２Ｊの上縁３Ｊを支持する支持部１１２ｅとして利用できるようになっている。
【００４５】
よって、所望枚数のパネル部品２Ｉを立て掛けた後、パネル部品得さえ部材１４０ｄを取り付け、その上面に所望枚数のパネル部品２Ｊの上縁３Ｊを支持させる。そして、一端部を外装ケース５０の一方の上部に締結したバンド５１を垂直支持部材１００ｂの頂面に沿わせて、他端部を外装ケース５０の他方の下部に締結してバンド５１を調節すれば、パネル部品２Ｆ〜２Ｊが包装材から外れなくなる。
【００４６】
この形態でも、前記したように、凹部１１２ａ〜１１２ｃおよび保持部１２２ａ〜１２２ｃの数を幾つにするかは設計事項であり、凹部１１２ａ〜１１２ｃ、収容段差１０４，保持部１２２ａ〜１２２ｃ、押さえ部材１４０ａ，１４０ｂ，１４０ｄの形状、大きさは、適宜設定される。
【００４７】
このパネル部品用包装材を用いる場合であっても、図示されるように、上下方向の高さの異なる複数種（図示のものでは５種）のパネル部品を斜めに傾斜した姿勢で、上下方向の寸法の大小に従い、上下方向の寸法より小さいものが内側位置となるようにして、一つの包装体として包装することができる。
【符号の説明】
【００４８】
１…パネル部品用包装材、
２…パネル部品、
３…パネル部品の上縁、
４…パネル部品の下縁、
１０，１００（１００ａ，１００ｂ）…垂直支持材、
１２，１１２…パネル部品上縁収容用の凹部、
１４…垂直支持材頂部の係止溝、
１５…垂直支持材の頂部を覆う押さえ部材、
２０，２１，１２０…水平保持材、
２２，１２２…パネル部品下縁保持部、
２３，１２３…荷重受けシート
４０，１４０…パネル部品押さえ部材、
５０…外装ケース。
【図１】
2010235173.tif 000003
【図２】
2010235173.tif 000004
【図３】
2010235173.tif 000005